(57)【特許請求の範囲】
【請求項１】
流動性を有する物質を収容するための樹脂製の有底の筒状体である胴部を有し、
前記胴部の上縁の開口は、水平断面が略角丸長方形であり、
前記胴部の上縁には、外周縁が外方に拡張された拡張部が設けられ、
前記胴部における前記略角丸長方形は、４つのコーナーの曲率半径が３３ｍｍ〜３８ｍｍであり、
前記胴部における前記略角丸長方形の短辺が、１ｍｍ〜５ｍｍの直線であることを特徴とする流動性物質用容器。
【請求項２】
前記拡張部は、外方に水平に延出し、内周縁及び外周縁が略角丸長方形状のフランジを有し、
前記フランジの内周縁の略角丸長方形の面積に対して、
前記胴部における前記略角丸長方形の面積の比率が、７５％〜９０％であることを特徴とする請求項１記載の流動性物質用容器。
【請求項３】
前記胴部における側面は、外方への傾斜角が、垂直に対して２．５°〜５°であることを特徴とする請求項１又は請求項２記載の流動性物質用容器。
【請求項４】
前記胴部における前記略角丸長方形の長辺は、外方に膨らんだ曲線であることを特徴とする請求項１〜３のいずれか１項に記載の流動性物質用容器。
【発明の詳細な説明】
【技術分野】
【０００１】
本発明は、例えば、ヨーグルト等の流動性を有する物質を収容するための流動性物質用容器に関する。
【背景技術】
【０００２】
ヨーグルト等の流動性を有する物質を収容するための容器として、平板状の樹脂のシートに対して、型を押し込んで容器形状とするシート成形により製造する容器が提案されている（特許文献１）。かかる容器は、店頭陳列時の見栄えの追及から、容器高さを高くすることが望まれる。しかし、内容物の量をそのままに、単純に容器高さを高くしても、内容物の液面位置が下がるため、却って購買意欲を削ぐ可能性がある。
【０００３】
さらに、今後の材料価格の高騰や消費税増税等に対応して、価格を維持しつつ、内容量をダウンさせることが実施される可能性がある。この場合にも、単純に内容量を減らして、内容物の液面位置が下がりすぎると、開封した購買者が内容量の減少を明確に意識するため、次回の購買意欲を阻害することになる。
【０００４】
これに対処するため、容器の断面積を減少させることにより、容器高さを維持して内容量を減少させつつ、液面位置を高く維持することが考えられる。
【先行技術文献】
【特許文献】
【０００５】
【特許文献１】実用新案登録第３１７７５２０号公報
【発明の開示】
【発明が解決しようとする課題】
【０００６】
さらに、従来から、ヨーグルト等の流動性を有する物質については、これを収容した容器を搬送する過程で、振動により崩れが生じ、軟化する現象が生じていた。かかる軟化が生じると、開封した購買者が品質に疑いを持つとともに、実際に品質の劣化を招く可能性もある。この現象の原因の一つは、輸送時に、縦揺れや横揺れの振動が加わった場合に、容器の内側面が振動することによって、内容物が押されることにあると推察される。
【０００７】
このように振動により物質が軟化する現象は、上記のように容器の断面積を減少させたとしても生じうる問題である。特に、コスト削減の要請から、樹脂材料を節約して断面の厚みを減らすシートスペックダウンを行うと、容器の内側面の強度が低下して振動し易くなり、軟化の現象が生じる可能性は高まると考えられる。
【０００８】
本発明は、上記のような従来技術の問題点を解決するために提案されたものであり、その目的は、収容する流動性物質の容量を減少させても液面位置が下がり過ぎず、流動性物質を振動から保護できる流動性物質用容器を提供することにある。
【課題を解決するための手段】
【０００９】
上記の目的を達成するため、本発明の流動性物質用容器は、流動性を有する物質を収容するための樹脂製の有底の筒状体である胴部を有し、前記胴部の上縁の開口は、水平断面が略角丸長方形であり、前記胴部の上縁には、外周縁が外方に拡張された拡張部が設けられ、前記胴部における前記略角丸長方形は、４つのコーナーの曲率半径が３３〜３８ｍｍであり、前記胴部における前記略角丸長方形の短辺が、１ｍｍ〜５ｍｍの直線であることを特徴とする。
【００１０】
前記拡張部は、外方に水平に延出し、内周縁及び外周縁が略角丸長方形状のフランジを有し、前記フランジの内周縁の略角丸長方形の面積に対して、前記胴部における前記略角丸長方形の面積の比率が、７５％〜９０％であってもよい。
【００１１】
前記胴部における側面は、外方への傾斜角が、垂直に対して２．５°〜５°であってもよい。
【００１２】
前記胴部における前記略角丸長方形の長辺は、外方に膨らんだ曲線であってもよい。
【発明の効果】
【００１３】
以上のような本発明によれば、収容する流動性物質の容量を減少させても液面位置が下がり過ぎず、流動性物質を振動から保護できる流動性物質用容器を提供することができる。
【図面の簡単な説明】
【００１４】
【図１】本発明の実施形態を示す斜視図
【図２】実施形態の平面図
【図３】実施形態の正面図
【図４】実施形態の側面図
【図５】振動試験の対象となった容器の寸法を示す説明図
【図６】振動試験の結果を示す説明図
【図７】強度試験の結果を示す説明図
【発明を実施するための形態】
【００１５】
本発明の実施形態を、図１〜５を参照して説明する。図１は流動性物質用容器（以下、容器とする）１の斜視図、図２は平面図、図３は正面図、図４は側面図である。
【００１６】
［構成］
以下、本実施形態の構成を説明する。すなわち、容器１は、図１に示すように、胴部１１、拡張部１２を有する。胴部１１は、有底の筒状体である。この胴部１１の水平断面は、図２に示すように、略角丸長方形である。この略角丸長方形は、円弧状の４つのコーナー部Ｃを有する。上縁の開口１１ａの水平断面のコーナー部Ｃの曲率半径は、３３〜３８ｍｍとすることが好ましい。
【００１７】
また、上縁の開口１１ａの略角丸長方形の一対の長辺Ｌ１と一対の短辺Ｌ２は、４つのコーナーＣと角がなく連続している。本実施形態では、長辺Ｌ１は、コーナーＣから連続して外方に膨らんだ緩やかな曲線となっている。短辺Ｌ２は、コーナー部Ｃから角がなく連続した直線となっている。この短片Ｌ２の長さは、１〜５ｍｍとすることが好ましい。
【００１８】
また、胴部１１の側面１１ｂは、底面１１ｃから開口１１ａに向かって外方へ傾いたテーパ面となっている。このテーパ面は、傾斜角が、垂直に対して２．５〜５°となっている。このため、胴部１１の水平断面は、開口１１ａから底面１１ｃに向かって面積が縮小する。なお、胴部１１の底面１１ｃには、中央部が内方に突出した凸部１１ｄが設けられている。
【００１９】
拡張部１２は、図１に示す通り、胴部１１の開口１１ａの外周縁が、外方に拡張された部分である。この拡張部１２は、段部１２ａ、立壁部１２ｂ、フランジ１２ｃを有する。段部１２ａは、胴部１１の開口１１ａの外周縁から、外方に延出した部分である。立壁部１２ｂは、段部１２ａの外周縁から、上方に立設された部分である。なお、立壁部１２ｂの４つのコーナーに対応する位置には、傾斜面であるスロープ１２ｄが形成されている。
【００２０】
フランジ１２ｃは、立壁部１２ｂの外周縁から、外方に水平に延出した部分である。このフランジ１２ｃは、内周縁及び外周縁が略角丸長方形状となっている。フランジ１２ｃの内周縁に囲まれた略角丸長方形の面積に対して、胴部１１の水平断面の略角丸長方形の面積の比率は、７５％〜９０％となっている。
【００２１】
さらに、胴部１１の側面１１ａと底面１１ｂの境界、胴部１１と拡張部１２との境界、段部１２ａ、立壁部１２ｂ、フランジ１２ｃの境界等は、断面がＲ形状となっている。このため、実測等において、上記の具体的な寸法の基準となる位置を厳密に特定し難い場合もあるが、これらの境界付近において、上記の寸法に該当すると認められる部分があれば、本発明の範囲といえる。
【００２２】
このような容器１は、樹脂のシート成形によって、製造される。つまり、シート状の樹脂に、容器形状の金型を押し付けて成形する。樹脂としては、例えば、ポリスチレン（ＰＳ）、ポリプロピレン（ＰＰ）、ポリエチレン（ＰＥ）を用いることができるが、現在又は将来において利用可能なあらゆる樹脂を適用できる。
【００２３】
収容する物質としては、流動性のある物質を用いるが、その流動性の程度は問わない。但し、振動により、崩れ、軟化、劣化等が生じる可能性のある物質が適している。例えば、軟化による崩れが生じ易いヨーグルト、プリン、ゼリー等が考えられる。特に、ヨーグルトは、一旦固まった後、外力が加わることにより軟化して崩れ易いので、本実施形態に最も適している。
【００２４】
容器１の内部に流動性物質を収容した後、フランジ１２ｃの上面には、図示しないアルミ等のシールフィルムを、熱融着等によってシールして密閉される。さらに、フランジ１２ｃには、図示しない蓋体が嵌められる。つまり、フランジ１２ｃは、密閉機能と蓋の嵌め合わせ機能を有している。
【００２５】
なお、容器１の製造前のシート厚は、特には限定されない。但し、シートの製造効率、材料の節約の観点からは、シート厚を２ｍｍ以下とすることが好ましい。また、フランジ１２ｃ、胴部１１の基本的な強度の確保の観点からは、シート厚は１ｍｍ以上とすることが好ましい。胴部１１の厚みも、特には限定されない。但し、上記のシート厚と同様の観点から、０．２ｍｍ〜０．５ｍｍが好ましい。
【００２６】
また、フランジ１２ｃの厚みも、特には限定されない。但し、材料の節約の観点からは、１．５ｍｍ以下が好ましい。また、フランジ１２ｃとシールフィルムを適正にシールし、その後の内容物の製造工程における内部膨張と、その後の内部収縮時におけるシールフィルムの剥がれの防止の観点からは、６ｍｍ以上が好ましい。
【００２７】
［作用効果］
以上のような本実施形態の作用効果は、以下の通りである。
（１）流動性物質の軟化防止
一般的に、外部からの衝撃や圧力を曲面で受けると、応力が分散される。つまり、板状の部材について外部から加わる力に対する強度は、平面とするよりも曲面とする方が高い。このため、容器について断面を円形や楕円形にすることにより、側面の強度を高めることは、一般的に行われている。また、上記のように、同じ内容量であれば、断面積が小さい方が、内容物の液面は高くなる。
【００２８】
このため、流動性物質用容器においても、断面を円形や楕円形として、曲面を増やすことにより、断面積を減少させることが、強度低下による内容物の軟化の防止、液面の高さの維持につながる。したがって、上記の特許文献１で示したような容器において、軟化防止と液面高さ維持を図るために、容器の断面を円形又は楕円形とすることは技術常識といえる。ここで、後述する実験１でも示すように、断面を楕円形、つまり、側面を全て曲面とすれば、従来の容器と比べると、一定の軟化防止の効果が得られる。また、後述する実験２でも示すように、断面を楕円形とすれば、強度が高くなる。
【００２９】
しかしながら、本願発明者は、かかる技術常識に反して、新たな流動性物質用容器を発明するに至った。すなわち、本実施形態の容器１は、流動性を有する物質を収容するための樹脂製の有底の筒状体である胴部１１を有し、胴部１１の上縁の開口は、水平断面が略角丸長方形であり、胴部１１の上縁には、外周縁が外方に拡張された拡張部１２が設けられ、略角丸長方形は、４つのコーナーＣの曲率半径が３３ｍｍ〜３８ｍｍであり、略角丸長方形の短辺が、１ｍｍ〜５ｍｍの直線である。
【００３０】
これにより、本実施形態は、後述する実験１で示すように、従来の断面が角丸長方形状の容器でも、断面が楕円形状の容器でも得られなかった顕著な軟化防止効果が得られる。つまり、本実施形態は、上記のような形状の容器１とすることにより、流動性物質を振動から保護することができる。
【００３１】
さらに、以上のような軟化防止効果に加えて、本発明は、以下のような効果が得られる。
（２）液面の高さ維持
上記の軟化防止効果に加えて、本発明では、容器高さを維持したままでも、４つのコーナーＣの内縁が、従前の容器と比較して、より内側に来る。よって、容器１の表面積を効率良く削ることができ、満中容量を減らすことができる。このため、容器１の高さによる外観の見栄えを維持したままで、液面水位が下がり過ぎることがなく、購買者に内容量の減少を意識させることがないので、次回の購買意欲を阻害することがない。例えば、下記の実験１の容器Ｄでは、同じ１０５．５ｍｍ高さの容器と比較して、容量は３０ｃｃ程度減少するが、液面を６ｍｍ程度上に押し上げる効果がある。
【００３２】
（３）フランジの維持
本発明では、フランジ１２ｃの内周縁に囲まれた略角丸長方形の面積に対して、胴部１１の水平断面の略角丸長方形の面積の比率が、７５％〜９０％である。これにより、上記の軟化防止効果が得られる上に、従来のフランジ１２ｃの大きさや形状をある程度維持したまま、水平断面の面積をより小さくすることができる。よって、シート成形を行う際に、側壁部の肉厚を維持又は厚くすることが可能となり、シート状態で同じ厚み、同じ重量であっても、強度を確保できる。さらに、シートスペックダウンを行ったとしても、強度を維持できるので、樹脂材料を節約してコストダウンが可能となる。しかも、フランジ１２ｃは従来と同様の大きさと形状とすることができるので、見栄えも変わらず、従来の蓋をそのまま使用することもできる。
【００３３】
（４）テーパ面の傾斜角の維持
未使用の複数の容器を積み重ねる場合、側面のテーパ面の傾斜が少ないと、一方の容器１の内部に他方の容器１が嵌り込んでしまい、取り外すことが困難となる。しかも、テーパ面の傾斜を大きくすれば、容量を減らすことができることは、技術常識である。このため、テーパ面の傾斜角を大きくすることにより、液面を維持することも考えられる。
【００３４】
ところが、容器１には、その外側面に印刷加工を施す必要がある。この場合、容器１の内側にマンドレルを挿入し、外側面に転写ローラを圧着させて容器１を挟み込み、回転させて印刷を行う。このため、側面の傾斜角が大きいと、回転する容器にずれが生じ易くなる。さらに、容器１の断面の直線部分が長いと、曲面部分と平面部分とで、単位面積当たりの版の速度差が大きくなり、スリップ等が生じる可能性がある。
【００３５】
本発明では、上記のように、軟化防止効果を高めつつ、曲面部分を増やして容量を効率良く減らしているので、テーパ面の傾斜角を２．５°〜５°に維持することができる。このため、傾斜が大きくなることによる印刷のずれを防止できる。また、４つのコーナーＣの曲率半径を適正に設定することにより、版の速度差に伴うコーナーＣのスリップも防止されるので、印刷の精度が向上する。つまり、緩やかなカーブ形状の長辺部と曲率半径が小さくなる短辺側に版印刷が進行する際に、ブレーキがかかって版がねじれ現象を起こすことがない。特に、本実施形態では、長辺Ｌ１が緩やかな曲線であるため、印刷をスムーズに行うことができる。
【００３６】
（５）視認性の向上
曲率半径を小さくすることにより、容器１の正面から見た際に、視野角が大きくなり、店頭での視認性が向上する。
【００３７】
［試験］
以上のような本発明の効果を実証するために行った試験を、以下に説明する。
［試験１］
試験１は振動試験である。試験１の内容は、以下の通りであり、図５にその結果を示す。
（対象容器）
試験対象とした容器Ａ〜Ｆは、以下の通りである。容器Ｄ、容器Ｅが本発明の容器１に対応し、容器Ｆが、胴部の水平断面が楕円形の容器である。図６は、容器Ｃ、Ｄ、Ｅの胴部１１の断面形状である。なお、以下の寸法の符号は、図２〜図４で示した符号に対応する。面積比は、フランジ１２ｃの内周縁に囲まれた略角丸長方形の面積に対する胴部１１の水平断面の略角丸長方形の面積の比率である。また、下記の寸法は、実際の容器１を実測した結果の数値も含まれているため、測定時の誤差が多少含まれている。
【００３８】
（容器Ａ）
製品：他社メーカー様製  略角形状容器（本製品は、曲率半径が小さく、角筒に近い形状の容器例であり、容器Ｂ〜Ｆと大きく相違する）
コーナーＣの曲率半径：Ｒ２２（ｍｍ）
側面の傾斜角：３．５°
全高Ｈ１：１０６（ｍｍ）
フランジの厚さｈ１：１．４５（ｍｍ）
立壁部の高さｈ２：１１（ｍｍ）
底面の長辺側の幅Ｗ１：９１．４（ｍｍ）
フランジの長辺側の幅Ｗ２：１１７．３（ｍｍ）
底面の短辺側の幅ｗ１：６１．３（ｍｍ）
フランジの短辺側の幅ｗ２：８８．３（ｍｍ）
【００３９】
（容器Ｂ）
製品：他社メーカー様製  略角丸長方形状容器
コーナーＣの曲率半径：Ｒ３０（ｍｍ）
短辺Ｌ２の長さ：１０．４（ｍｍ）
長辺Ｌ１の曲率半径：１９６（ｍｍ）
面積比：９３％
側面の傾斜角：３．５°
全高Ｈ１：１０６ｍｍ
フランジの厚さｈ１：１．３５（ｍｍ）
立壁部の高さｈ２：１５（ｍｍ）
底面の長辺側の幅Ｗ１：９２．５（ｍｍ）
フランジの長辺側の幅Ｗ２：１１７．３（ｍｍ）
底面の短辺側の幅ｗ１：６３．８（ｍｍ）
フランジの短辺側の幅ｗ２：８８．３（ｍｍ）
【００４０】
（容器Ｃ）
製品：出願人製（略角丸長方形状容器）
コーナーＣの曲率半径：Ｒ３０．６（ｍｍ）
短辺Ｌ２の長さ：１１．４６（ｍｍ）
長辺Ｌ１の曲率半径：Ｒ１９６（ｍｍ）
面積比：９３％
側面の傾斜角：３．５°
全高Ｈ１：１０５．５±０．５（ｍｍ）
フランジの厚さｈ１：１（ｍｍ）
立壁部の高さｈ２：１３（ｍｍ）
底面の長辺側の幅Ｗ１：９０．９１（ｍｍ）
フランジの長辺側の幅Ｗ２：１１７．５±０．５（ｍｍ）
底面の短辺側の幅ｗ１：６２．６１（ｍｍ）
フランジの短辺側の幅ｗ２：８８．０±０．５（ｍｍ）
【００４１】
（容器Ｄ）
製品：出願人製（略角丸長方形容器）
コーナーＣの曲率半径：Ｒ３５．３（ｍｍ）
短辺Ｌ２の長さ：３．３１（ｍｍ）
長辺Ｌ１の曲率半径：Ｒ２００．８（ｍｍ）
面積比：８６％
側面の傾斜角：３．５°
全高Ｈ１：１０５．５±０．５（ｍｍ）
フランジの厚さｈ１：１．２（ｍｍ）
立壁部の高さｈ２：１３（ｍｍ）
底面の長辺側の幅Ｗ１：８８．９３（ｍｍ）
フランジの長辺側の幅Ｗ２：１１７．５±０．５（ｍｍ）
底面の短辺側の幅ｗ１：６２．６１（ｍｍ）
フランジの短辺側の幅ｗ２：８８．０±０．５（ｍｍ）
【００４２】
（容器Ｅ）
製品：出願人製（略角丸長方形容器）
コーナーＣの曲率半径：Ｒ３５．３（ｍｍ）
短辺Ｌ２の長さ：１．３４（ｍｍ）
長辺Ｌ１の曲率半径：Ｒ２００．８（ｍｍ）
面積比：８３％
側面の傾斜角：３．５°
全高Ｈ１：１０２．０±０．５（ｍｍ）
フランジの厚さｈ１：１．２（ｍｍ）
立壁部の高さｈ２：１３（ｍｍ）
底面の長辺側の幅Ｗ１：８９．３（ｍｍ）
フランジの長辺側の幅Ｗ２：１１７．５±０．５（ｍｍ）
底面の短辺側の幅ｗ１：６１（ｍｍ）
フランジの短辺側の幅ｗ２：８８．０±０．５（ｍｍ）
【００４３】
（容器Ｆ）
楕円形容器
楕円の長径（水平断面積の最大部分）：９０．５（ｍｍ）
楕円の短径（水平断面積の最大部分）：７１．５（ｍｍ）
側面の傾斜角：３．０°
全高Ｈ１：１１１±０．５（ｍｍ）
フランジの厚さｈ１：１．５（ｍｍ）
立壁部の高さｈ２：１１（ｍｍ）
底面の長辺側の幅Ｗ１：８０．５（ｍｍ）
フランジの長辺側の幅Ｗ２：１０４（ｍｍ）
底面の短辺側の幅ｗ１：６２．７（ｍｍ）
フランジの短辺側の幅ｗ２：８５．７（ｍｍ）
【００４４】
（ヨーグルト作成工程）
使用した流動性物質は、ヨーグルトであり、その作成工程は、以下の通りである。
（使用原材料）
市販低脂肪牛乳：乳脂肪分１．０％、無脂乳固形分１０．０％
クリスチャンハンセン社デンマーク工場製プロバイオティクスヨーグルト製造用フリーズドライスターターカルチャー：ＡＢＹ-１
（作成手法）
（１）寸胴を湯銭にて牛乳を加熱し、攪拌しながら９０℃で１０分間保持
（２）攪拌しながら寸胴を氷水内にて冷却し、４５℃になったところでスターターを投入
（３）スターターを添加した寸胴を消毒用エタノールにて殺菌したビーカーで混生し、各容器に４５０ｇ装填しアイロンシールを実施
（４）４２℃恒温槽にて醗酵させ、一定時間毎に内容物温度及びｐＨを測定しｐＨ４．７まで測定を継続
（５）ｐＨ４．７程度まで下がったら、ヨーグルト搬送用プラスチッククレートに積み替え、速やかに冷蔵室にて冷却を実施
（実験日時）
３月１０日
【００４５】
（振動試験）
実験手法：複合環境振動試験機にクレートを、通常輸送を想定して設置し（４回し）、ゴムバンドにて固定して、通常輸送を想定して、試験機内温度を８℃に設定し試験を実施
加速度  ：ＪＩＳ  Ｚ  ０２３２  包装貨物−振動試験方法における附属書Ａ（参考）加速度パワースペクトル密度記載加速度の０．５９Ｇｒｍｓ(５．８ｍ/ｓ2 ｒｍｓ)にて実施。
試験時間：３時間
実験日時：３月１８日  １５時
【００４６】
（評価方法）
１．目視評価
試験終了後１２時間８℃に保たれた振動試験機内に保管し、すべて開封して目視で確認し写真撮影実施（３月１９日８時より評価開始）
２．液状軟化重量測定
開封後ヨーグルト重量を測定し、液状に破壊され軟化したヨーグルト容器内部からをビーカーに移し、除去後の重量を測定して評価実施。
３．液状に破壊され軟化したヨーグルトを取り除いた製品を、容器から取出し中身の軟化状態を確認
【００４７】
（試験結果）
図５に示すように、ヨーグルトの装填量に対する液状軟化した重量の比率（図中丸数字の６）を見ると、容器Ａの平均値が１５．８％、容器Ｂの平均値が１４．７％、容器Ｃの平均値が１０．６％、容器Ｄの平均値が１１．７％であった。これに対して、容器Ｄの平均値が１．９％、容器Ｅの平均値が１．７％となっており、本発明の容器は、軟化防止効果が高く、振動に強いことは明らかである。容器Ｃが曲率半径３０．６ｍｍ、短辺１１．４６ｍｍであり、容器Ｆは短辺が存在しない完全な楕円であることを考えると、曲率半径３３〜３８ｍｍ、短辺１ｍｍ〜５ｍｍ程度とすることにより、容器Ｄ、Ｆと近似した結果が得られると推察される。
【００４８】
［試験２］
試験２は強度試験である。試験２の内容は、以下の通りであり、図７にその結果を示す。
（対象容器）
対象とした容器は、上記の容器Ａ、Ｂ、Ｃ、Ｄ、Ｆである。
（試験内容）
試験機：オートグラフＡＧ-Ｘｐｌｕｓ
ロードセル容量：５００Ｎ
試験速度：１０ｍｍ/ｍｉｎ
試験方法：上下逆さまの縦方向に設置した各容器に対して、試験機により圧縮試験を行い、最大荷重を各容器につき２度測定した。
【００４９】
（試験結果）
図７に示すように、強度については、明らかに断面が楕円形状の容器Ｆが高く、容器Ｄは、容器Ｂ、容器Ｃよりも高いが、容器Ａに比べると低い。つまり、強度を考えた場合には、楕円形状の容器Ｆが選択されることが常識的であることを裏付けている。
【００５０】
［他の実施形態］
拡張部１２の構成は、上記の態様には限定されない。少なくとも外周縁を拡張した部分が存在すればよい。好ましくは、密閉のためのフランジ１２ｃを有しているとよい。スロープ１２ｄは、内容物の掻き出しをスムーズに行う効果があるが、これはなくてもよい。
【符号の説明】
【００５１】
１  容器
１１  胴部
１１ａ  開口
１１ｂ  側面
１１ｃ  底面
１２  拡張部
１２ａ  段部
１２ｂ  立壁部
１２ｃ  フランジ
１２ｄ  スロープ
【要約】
【課題】収容する流動性物質の容量を減少させても液面位置が下がり過ぎず、流動性物質を振動から保護できる流動性物質用容器を提供する。
【解決手段】流動性を有する物質を収容するための樹脂製の有底の筒状体である胴部１１を有し、胴部１１の上縁の開口は、水平断面が略角丸長方形であり、胴部１１の上縁には、外周縁が外方に拡張された拡張部１２が設けられ、胴部１１における略角丸長方形は、４つのコーナーの曲率半径が３３ｍｍ〜３８ｍｍであり、胴部１１における略角丸長方形の短辺が、１ｍｍ〜５ｍｍの直線である。
【選択図】図１【図１】
0005593463.tif 000002
【図２】
0005593463.tif 000003
【図３】
0005593463.tif 000004
【図４】
0005593463.tif 000005
【図６】
0005593463.tif 000006
【図７】
0005593463.tif 000007
【図５】
0005593463.tif 000008